(57)【要約】【課題】正確な絶対時刻に基づいてパケットの転送を少ない労力で制御することができるパケット伝送装置を得ること。【解決手段】受信したパケットを転送するパケット伝送装置１において、パケットの変更帯域を示す帯域変更情報および帯域を変更する時刻を示す変更時刻情報が設定されるポリシーサーバ１０と、受信したパケットに関する時刻情報を受信パケット時刻情報として生成する時刻情報生成部４０と、変更時刻情報および前記受信パケット時刻情報の比較に基づいて帯域を変更するか否かを判断するとともに、帯域を変更すると判断した場合は帯域変更情報に含まれる変更帯域に基づいて転送されるパケットの帯域を変更制御する帯域制御部３０と、を備える。【選択図】      図１
2004364156.tif 000002
【特許請求の範囲】
【請求項１】
受信したパケットを転送するパケット伝送装置において、
パケットの変更帯域を示す帯域変更情報および帯域を変更する時刻を示す変更時刻情報が設定されるポリシーサーバと、
受信したパケットに関する時刻情報を受信パケット時刻情報として生成する時刻情報生成部と、
前記変更時刻情報および前記受信パケット時刻情報の比較に基づいて帯域を変更するか否かを判断するとともに、帯域を変更すると判断した場合は前記帯域変更情報に含まれる変更帯域に基づいて転送されるパケットの帯域を変更制御する帯域制御部と、
を備えることを特徴とするパケット伝送装置。
【請求項２】
前記受信パケット時刻情報は、受信したパケットに含まれるパケット送信時刻情報またはパケットを受信した時刻を示す時刻情報であることを特徴とする請求項１に記載のパケット伝送装置。
【請求項３】
前記ポリシーサーバとシグナリングプロトコル処理を行うことによって前記ポリシーサーバに設定された前記帯域変更情報および前記変更時刻情報を受信するとともに前記帯域制御部に前記帯域変更情報および前記変更時刻情報を送信するシグナルプロトコル処理部をさらに備えることを特徴とする請求項１または２に記載のパケット伝送装置。
【請求項４】
受信したパケットを転送するパケット伝送装置において、
パケットの廃棄を開始する時刻を示す廃棄開始時刻情報およびパケットの転送を開始する時刻を示す転送開始時刻情報が設定されるポリシーサーバと、
受信したパケットに関する時刻情報を受信パケット時刻情報として生成する時刻情報生成部と、
前記廃棄開始時刻情報および前記転送開始時刻情報と、前記パケット時刻情報との比較に基づいてパケットを廃棄または転送制御する廃棄制御部と、
を備えることを特徴とするパケット伝送装置。
【請求項５】
前記受信パケット時刻情報は、受信したパケットに含まれるパケット送信時刻情報またはパケットを受信した時刻を示す時刻情報であることを特徴とする請求項４に記載のパケット伝送装置。
【請求項６】
前記ポリシーサーバとシグナリングプロトコル処理を行うことによって前記ポリシーサーバに設定された前記廃棄開始時刻情報および前記転送開始時刻情報を受信するとともに前記帯域制御部に前記廃棄開始時刻情報および前記転送開始時刻情報を送信するシグナルプロトコル処理部をさらに備えることを特徴とする請求項４または５に記載のパケット伝送装置。
【請求項７】
受信したパケットを転送するパケット伝送装置において、
受信した前記パケットの蓄積を開始する時刻の情報である蓄積開始時刻情報および受信した前記パケットの蓄積を終了する時刻の情報である蓄積終了時刻情報が設定されるポリシーサーバと、
受信したパケットに関する時刻情報を受信パケット時刻情報として生成する時刻情報生成部と、
前記蓄積開始時刻情報および前記蓄積終了時刻情報と、前記パケット時刻情報との比較に基づいてパケットを蓄積または転送制御するパケット蓄積制御部と、
を備えることを特徴とするパケット伝送装置。
【請求項８】
前記受信パケット時刻情報は、受信したパケットに含まれるパケット送信時刻情報またはパケットを受信した時刻を示す時刻情報であることを特徴とする請求項７に記載のパケット伝送装置。
【請求項９】
前記ポリシーサーバとシグナリングプロトコル処理を行うことによって前記ポリシーサーバに設定された前記蓄積開始時刻情報および前記蓄積終了時刻情報を受信するとともに前記帯域制御部に前記蓄積開始時刻情報および前記蓄積終了時刻情報を送信するシグナルプロトコル処理部をさらに備えることを特徴とする請求項７または８に記載のパケット伝送装置。
【請求項１０】
前記パケット蓄積制御部は、ポリシーサーバの要求に応じて蓄積されたパケットに含まれる情報を前記ポリシーサーバに通知することを特徴とする請求項７〜９のいずれか一つに記載のパケット伝送装置。
【請求項１１】
前記パケット蓄積制御部は、前記蓄積開始時刻情報として指定された蓄積開始時刻以降であって、かつこの時刻に最も近い時刻を前記受信パケット時刻情報として持つパケットを蓄積するモードを有することを特徴とする請求項７〜１０のいずれか一つに記載のパケット伝送装置。
【発明の詳細な説明】
【０００１】
【発明の属する技術分野】
この発明はパケット伝送装置に関するものであり、特に、予め設定した時刻の情報に基づいてパケットを送信するための帯域を変更することができるパケット伝送装置に関するものである。
【０００２】
【従来の技術】
一般に、パケット通信のネットワークにおいて、容量の大きなデータを転送する場合や複数のデータを同時に転送させるとパケット通信を行うための帯域が飽和することが知られている。このため、ネットワーク資源を効率良く活用して優先度の高いパケットをスムーズに送受信するためパケット送信用の帯域を制御する必要がある。
【０００３】
従来のパケット通信方法では、パケット通信の帯域管理者によって予め設定されたパケット送信の使用可能領域に基づいてパケット通信を行っており、帯域を効率よく使用するためにはパケット通信を行う条件毎にパケット送信用の帯域を変更させる必要がある。このように、従来パケットの送信に使用される帯域を変更させる場合、帯域管理者がその都度帯域の設定を変更させなければならなかった。このため、帯域管理者がその都度帯域の設定を変更するには労力と手間がかかるといった問題があった。
【０００４】
また、特許文献１に記載のパケット伝送装置では、パケットを送信する際パケットの送出時刻と１つ前に送出したパケットの時刻を付加することによって受信側の装置にパケットの順序性を保証している。
【０００５】
【特許文献１】
特開平５−１３０１４１号公報（第１項）
【０００６】
【発明が解決しようとする課題】
しかしながら、上記従来の技術によれば、パケットを送信する際パケットの送出時刻を付加しているためパケットの順序性を保証することはできるが、優先度の高いパケットをスムーズに送受信することには対応できなかった。さらに、パケットの送出時刻は、パケットの送出順序を保証するためのものであり、パケット通信の伝送を正確な絶対時刻に基づいて制御することができないという問題があった。
【０００７】
この発明は上記に鑑みてなされたものであって、優先度の高いパケットをスムーズに送受信するとともに、正確な絶対時刻に基づいてパケットの転送を少ない労力で制御することができるパケット伝送装置を得ることを目的とする。
【０００８】
【課題を解決するための手段】
上述した課題を解決し、目的を達成するために、本発明にかかるパケット伝送装置にあっては、受信したパケットを転送するパケット伝送装置において、パケットの変更帯域を示す帯域変更情報および帯域を変更する時刻を示す変更時刻情報が設定されるポリシーサーバと、受信したパケットに関する時刻情報を受信パケット時刻情報として生成する時刻情報生成部と、前記変更時刻情報および前記受信パケット時刻情報の比較に基づいて帯域を変更するか否かを判断するとともに、帯域を変更すると判断した場合は前記帯域変更情報に含まれる変更帯域に基づいて転送されるパケットの帯域を変更制御する帯域制御部と、を備えることを特徴とする。
【０００９】
この発明によれば、パケット伝送装置の管理者が予め帯域変更情報と変更時刻情報を設定しているので、時刻情報生成部によって生成されたパケットの送信時刻情報に基づいてパケット送信に使用する帯域を動的に変更可能となる。
【００１０】
【発明の実施の形態】
以下、本発明にかかるパケット伝送装置の実施の形態を図面に基づいて詳細に説明する。なお、この実施の形態によりこの発明が限定されるものではない。
【００１１】
実施の形態１．
図１および図２に従ってこの発明の実施の形態１について説明する。図１はこの発明の実施の形態１にかかるパケット伝送装置の概略を示すブロック図である。図１においてパケット伝送装置１は、パケット伝送の条件を設定するためのポリシーサーバ１０、ポリシーサーバ１０と後述する帯域制御部３０の間の信号の送受信を仲介するシグナルプロトコル処理部２０、パケット伝送の条件に基づいてパケットの送信に使用される帯域を制御する帯域制御部３０、送信装置から送信されたパケットの送信された時刻を抽出する時刻情報生成部４０、受信したパケットを転送、廃棄するパケット転送処理部５０からなる。また、パケット伝送装置１はネットワーク上でパケットの送信装置（図示せず）、パケットの受信装置（図示せず）と電気的に接続されている。
【００１２】
ポリシーサーバ１０は、パケット送信に使用されるパケットの変更帯域の情報を示す帯域変更情報や帯域を変更する時刻の情報を示す変更時刻情報をパケット伝送装置１の管理者が設定するためのものである。また、ポリシーサーバ１０はシグナルプロトコル処理部２０と電気的に接続されている。
【００１３】
シグナルプロトコル処理部２０は、ポリシーサーバ１０とシグナリングプロトコル処理を行うことによってパケット伝送の条件を受信するとともに帯域制御部にパケット伝送の条件を送信する。
【００１４】
時刻情報生成部４０は、送信装置（図示せず）から受信した受信パケットから送信装置がパケットを送信した時刻の情報（以下、送信時刻情報という）をパケット毎に抽出するものである。なお、送信装置から送信されるパケットに送信時刻情報が付加されていない場合は、時刻情報生成部４０が送信装置からのパケットを受信した時刻をパケットに付加するよう送信時刻情報を生成すればよい。また、時刻情報生成部４０は帯域制御部３０、パケット転送処理部５０と電気的に接続され、送信時刻情報を帯域制御部３０やパケット転送処理部５０に送信する。
【００１５】
帯域制御部３０は、シグナルプロトコル処理部２０を介して送られる変更時刻情報と時刻情報生成部４０で抽出された送信時刻情報をパケット毎に比較し、帯域変更情報に基づいてパケット毎に帯域値を制御する。例えば、送信時刻情報の時刻が変更時刻情報の時刻を過ぎているパケットの場合、帯域を変更する時刻であると判断され、帯域変更情報に基づいてこの時刻における帯域値に変更する。さらに、帯域制御部３０では帯域値毎に時刻情報生成部４０で受信した受信パケットをどれだけの容量だけ受信装置（図示せず）に転送しどれだけの容量だけ廃棄するかを決めておき、これに基づいて帯域制御部３０と電気的に接続されたパケット転送処理部５０に、受信パケットを転送、廃棄する容量を設定するよう制御信号を送信する。
【００１６】
パケット転送処理部５０は、帯域制御部３０からの制御信号に基づいて、時刻情報生成部４０からの受信パケットをパケットの受信装置へ転送したり受信パケットを廃棄したりするものである。
【００１７】
つぎに、この発明の実施の形態１にかかるパケット伝送装置１によるパケット伝送条件の設定手順について説明する。図２は、実施の形態１にかかるパケット伝送装置１によるパケット伝送条件の設定手順を示すフローチャートである。
【００１８】
パケット伝送装置１の管理者は、予めポリシーサーバ１０にパケットの送信に使用される帯域の帯域値の情報である帯域変更情報と帯域を変更する時刻の情報をである変更時刻情報を設定しておく。そして、ポリシーサーバ１０の設定をシグナリングプロトコル処理を行うことによってシグナルプロトコル処理部２０に設定する。さらに、シグナルプロトコル処理部２０は、この設定を帯域制御部３０に送信し、帯域制御部３０に帯域変更情報と変更時刻情報を設定する（ステップＳ１００）。
【００１９】
時刻情報生成部４０では、パケットの送信装置から送信されたパケットを受信し、この受信パケットに付加されている送信時刻情報をパケット毎に抽出する（ステップＳ１１０）。また、時刻情報生成部４０で受信された受信パケットは帯域制御部３０とパケット転送処理部５０に送信される。
【００２０】
ここで、帯域制御部３０では、現在設定中の帯域値に合わせてパケット転送処理部５０において受信パケットをどれだけ転送しどれだけ廃棄するかを決定し、パケット転送処理部５０に受信パケットを転送、廃棄する容量を決定するための制御信号を送信している。そして、パケット転送処理部５０では、時刻情報生成部４０からの受信パケットを常時ルーティングし、帯域制御部３０からの制御信号に基づいて所定容量の受信パケットを受信装置に送信している。
【００２１】
帯域制御部３０では、ポリシーサーバ１０からの変更時刻情報と時刻情報生成部４０からの送信時刻情報とをパケット毎に比較し（ステップＳ１２０）、送信時刻情報の時刻が変更時刻情報の時刻を過ぎている場合、帯域を変更する時刻であると判断する。
【００２２】
そして、帯域制御部３０が帯域を変更する時刻であると判断した場合は、帯域制御部３０は、帯域変更情報に基づいてこの時刻に対応した帯域値に変更するよう帯域を変更させる（ステップＳ１３０）。さらに、帯域制御部３０はパケット転送処理部５０において受信パケットをどれだけ転送しどれだけ廃棄するかを新たな帯域値に基づいて決定し、パケット転送処理部５０に対して受信パケットを転送、廃棄する容量を決定するための制御信号を送信する（ステップＳ１４０）。
【００２３】
一方、送信時刻情報の時刻が変更時刻情報内の時刻をまだ過ぎていない場合、帯域制御部３０では帯域を変更する時刻ではないと判断される。そして、帯域制御部３０が帯域を変更する時刻ではないと判断した場合、帯域制御部３０は帯域値を変更させないこととする（ステップＳ１５０）。これによって、パケット転送処理部５０ではこれまで通りの条件にしたがって受信パケットを送信装置へ送信することとなる。
【００２４】
このように、パケット送信に使用する帯域はパケット伝送装置１の管理者が自由に設定変更することができるため、時間毎に所定の帯域値に区切って帯域を提供することも可能となる。また、ＡＴＭ（Ａｓｙｎｃｈｒｏｎｏｕｓ  Ｔｒａｎｓｆｅｒ  Ｍｏｄｅ  ）における仮想パスやメトロネットワーク用のＷＤＭ（Ｗａｖｅｌｅｎｇｔｈ  Ｄｉｖｉｓｉｏｎ  Ｍｕｌｔｉｐｌｅｘｉｎｇ）伝送システム、Ｅｔｈｅｒｎｅｔ（登録商標）において帯域可変サービスの提供を行うことも可能となる。
【００２５】
このように実施の形態１によれば、パケット伝送装置１の管理者が予め帯域変更情報と変更時刻情報を設定しているので、時刻情報生成部４０によって抽出されたパケットの送信時刻情報に基づいてパケット送信に使用する帯域を動的に変更可能となる。したがって効率の良いパケット通信を少ない労力で実現可能となる。
【００２６】
実施の形態２．
図３および図４に従ってこの発明の実施の形態２について説明する。図３はこの発明の実施の形態２にかかるパケット伝送装置の概略を示すブロック図であり、図３の各構成要素のうち図１に示す実施の形態１のパケット伝送装置１と同一機能を達成する構成要素については同一番号を付しており重複する説明は省略する。
【００２７】
図３においてパケット伝送装置２は、パケット伝送の条件を設定するためのポリシーサーバ１１、ポリシーサーバ１１とシグナリングプロトコル処理を行うことによってパケット伝送の条件を受信するとともに帯域制御部にパケット伝送の条件を送信するシグナルプロトコル処理部２０、パケット伝送の条件に基づいて受信したパケットを廃棄するか転送するかの判断を行う廃棄制御部３１、送信装置から送信されたパケットの送信された時刻を抽出する時刻情報生成部４０、受信したパケットを転送または廃棄するパケット転送処理部５０からなる。また、パケット伝送装置２はネットワーク上でパケットの送信装置（図示せず）、パケットの受信装置（図示せず）と電気的に接続されている。
【００２８】
ポリシーサーバ１１は、送信装置から受信した受信パケットの廃棄を開始する時刻の情報である廃棄開始時刻情報と受信パケットを受信装置へ転送を開始する時刻の情報である転送開始時刻情報をパケット伝送装置２の管理者が設定するためのものである。また、ポリシーサーバ１０はシグナルプロトコル処理部２０と電気的に接続されている。
【００２９】
廃棄制御部３１は、シグナルプロトコル処理部２０を介して送られる廃棄開始時刻情報、転送開始時刻情報と時刻情報生成部４０で抽出されたパケットが送信された時刻の情報である送信時刻情報を比較して時刻情報生成部で受信した送信装置からの受信パケットを廃棄するか転送するかを決定し、受信パケットを廃棄または転送するようパケット転送処理部５０に制御信号を送信する。
【００３０】
パケット転送処理部５０は、廃棄制御部３１からの制御信号に基づいて、時刻情報生成部４０からの受信パケットをパケットの受信装置へ転送したり受信パケットを廃棄したりするものである。
【００３１】
つぎに、この発明の実施の形態２にかかるパケット伝送装置２によるパケット伝送条件の設定手順について説明する。図４は、実施の形態２にかかるパケット伝送装置２によるパケット伝送条件の設定手順を示すフローチャートである。
【００３２】
パケット伝送装置２の管理者は、予めポリシーサーバ１１に廃棄開始時刻情報と転送開始時刻情報を設定しておく。そしてポリシーサーバ１１の設定をシグナリングプロトコル処理を行うことによってシグナルプロトコル処理部２０に設定する。さらに、シグナルプロトコル処理部２０は、この設定を廃棄制御部３１に送信し、廃棄制御部３１に廃棄開始時刻情報と転送開始時刻情報を設定する（ステップＳ２００）。
【００３３】
時刻情報生成部４０では、パケットの送信装置から送信されたパケットを受信し、この受信パケットに付加されている送信時刻情報をパケット毎に抽出する（ステップＳ２１０）。また、時刻情報生成部４０で受信された受信パケットは廃棄制御部３１とパケット転送処理部５０に送信される。
【００３４】
廃棄制御部３１では、まずポリシーサーバ１１からの廃棄開始時刻情報と時刻情報生成部４０からの送信時刻情報とをパケット毎に比較し（ステップＳ２２０）、送信時刻情報の時刻が廃棄開始時刻情報の時刻を過ぎている場合、この受信パケットを廃棄し受信パケットを受信装置へ送信しないようパケット転送処理部５０に制御信号を送信する。
【００３５】
さらに、廃棄制御部３１ではポリシーサーバ１１からの転送開始時刻情報と時刻情報生成部４０からの送信時刻情報とを比較し、送信時刻情報の時刻が転送開始時刻情報の時刻を過ぎている場合、この受信パケットを廃棄せず受信パケットを受信装置へ送信するようパケット転送処理部５０に制御信号を送信する。
【００３６】
そして、廃棄制御部３１からパケット転送処理部５０へ受信パケットを廃棄するよう制御信号が送信された場合、パケット転送処理部５０は受信パケットを廃棄する（ステップＳ２３０）。一方、廃棄制御部３１からパケット転送処理部５０へ受信パケットを転送するよう制御信号が送信された場合、パケット転送処理部５０は受信パケットを受信装置へ送信する（ステップＳ２４０）。
【００３７】
このように、パケット転送処理部５０では、時刻情報生成部４０からの受信パケットを常時ルーティングし、廃棄制御部３１からの制御信号に基づいて受信パケットを廃棄するか又は受信装置に送信している。
【００３８】
なお、ポリシーサーバ１１によって廃棄制御部３１に帯域変更情報、変更時刻情報を設定しておき、帯域変更情報、変更時刻情報、送信時刻情報に基づいて帯域値を制御するようにしてもよい。さらに、廃棄制御部３１で受信パケットを転送すると判断されている間、帯域値毎に時刻情報生成部４０で受信した受信パケットをどれだけの容量だけ受信装置に転送しどれだけの容量だけ廃棄するかを決めておき、これに基づいて帯域制御部３０と電気的に接続されたパケット転送処理部５０に、受信パケットを転送、廃棄する容量を設定するよう制御信号を送信してもよい。
【００３９】
このように実施の形態２によれば、パケット伝送装置２の管理者が予め廃棄開始時刻情報と転送開始時刻情報を設定しているので、時刻情報生成部４０によって抽出された送信時刻情報に基づいて受信パケットの送信を任意の時間に受信装置に送信するよう制御することが可能となる。したがって、受信装置が要求する時間に受信装置がパケットを受信できるようパケットの転送を制御することも可能となる。
【００４０】
実施の形態３．
図５〜図７に従ってこの発明の実施の形態３について説明する。図５はこの発明の実施の形態３にかかるパケット伝送装置の概略を示すブロック図であり、図５の各構成要素のうち図１に示す実施の形態１のパケット伝送装置１または図３に示す実施の形態２のパケット伝送装置２と同一機能を達成する構成要素については同一番号を付しており重複する説明は省略する。
【００４１】
図５においてパケット伝送装置３は、パケット伝送の条件を設定するためのポリシーサーバ１２、ポリシーサーバ１２とシグナリングプロトコル処理を行うことによってパケット伝送の条件を受信するとともに帯域制御部にパケット伝送の条件を送信するシグナルプロトコル処理部２０、パケット伝送の条件に基づいて受信したパケットを蓄積するか否かの判断を行うパケット蓄積制御部３２、送信装置から送信されたパケットの送信された時刻を抽出する時刻情報生成部４０、受信したパケットを転送するパケット転送処理部５２からなる。また、パケット伝送装置３はネットワーク上でパケットの送信装置（図示せず）、パケットの受信装置（図示せず）と電気的に接続されている。
【００４２】
ポリシーサーバ１２は、送信装置から受信した受信パケットの蓄積を開始する時刻の情報である蓄積開始時刻情報と受信パケットの蓄積を終了する時刻の情報である蓄積終了時刻情報をパケット伝送装置３の管理者が設定するためのものである。また、ポリシーサーバ１２はシグナルプロトコル処理部２０と電気的に接続されている。
【００４３】
パケット蓄積制御部３２は、シグナルプロトコル処理部２０を介して送られる蓄積開始時刻情報、蓄積終了時刻情報と時刻情報生成部４０で抽出されたパケットが送信された時刻の情報である送信時刻情報を比較して時刻情報生成部４０で受信した送信装置からの受信パケットを蓄積するか否かを決定する。また、パケット転送処理部５２は、時刻情報生成部４０からの受信パケットを常時ルーティングし受信パケットを受信装置へ転送するものである。
【００４４】
つぎに、この発明の実施の形態３にかかるパケット伝送装置３によるパケット伝送条件の設定手順について説明する。図６は、実施の形態３にかかるパケット伝送装置３によるパケット伝送条件の設定手順を示すフローチャートである。
【００４５】
パケット伝送装置３の管理者は、予めポリシーサーバ１２に蓄積開始時刻情報と蓄積終了時刻情報を設定しておく。そして、ポリシーサーバ１２の設定をシグナリングプロトコル処理を行うことによってシグナルプロトコル処理部２０に設定する。さらに、シグナルプロトコル処理部２０は、この設定をパケット蓄積制御部３２に送信し、パケット蓄積制御部３２に蓄積開始時刻情報と蓄積終了時刻情報を設定する（ステップＳ３００）。
【００４６】
時刻情報生成部４０では、パケットの送信装置から送信されたパケットを受信し、この受信パケットに付加されている送信時刻情報をパケット毎に抽出する（ステップＳ３１０）。また、時刻情報生成部４０で受信された受信パケットはパケット蓄積制御部３２とパケット転送処理部５２に送信される。
【００４７】
パケット蓄積制御部３２では、まずポリシーサーバ１２からの蓄積開始時刻情報と時刻情報生成部４０からの送信時刻情報とをパケット毎に比較し（ステップＳ３２０）、送信時刻情報の時刻が蓄積開始時刻情報の時刻を過ぎている場合、この受信パケットをパケット蓄積制御部３２に蓄積する（ステップＳ３３０）。
【００４８】
さらに、パケット蓄積制御部３２ではポリシーサーバ１２からの蓄積終了時刻情報と時刻情報生成部４０からの送信時刻情報とを比較し（ステップＳ３４０）、送信時刻情報の時刻が蓄積終了時刻情報の時刻を過ぎている場合、受信パケットを蓄積しないこととする（ステップＳ３５０）。
【００４９】
そして、受信パケットが蓄積された場合はパケット伝送装置３の管理者からの要求に応じてシグナルプロトコル処理部２０を介してポリシーサーバ１２へ蓄積された受信パケットが送信されるものとする。また、パケット転送処理部５２では、時刻情報生成部４０からの受信パケットを常時ルーティングし、受信パケットを受信装置に送信している。
【００５０】
図７は、時刻情報生成部４０が送信装置からのパケットを受信した時刻をパケットに付加する場合におけるネットワークの構成を説明するための図である。図７において、閉じたネットワーク４のエッジ部分にパケット伝送装置３を配置し、パケット伝送装置３はポリシーサーバ１２と電気的に接続されている。
【００５１】
ここでは、パケット伝送装置３によって送信装置から送信されたパケットを受信した時刻をパケットに付加して転送するようにしている。このため、ネットワーク４内にパケットが流入した時刻とネットワーク４外へパケットが流出する時刻をネットワーク４内で保証することが可能となる。
【００５２】
なお、本実施の形態３においては、蓄積開始時刻情報と蓄積終了時刻情報に基づいて受信パケットを蓄積するか否かの判断を行っているが、受信パケットのうち、所定の時刻を過ぎた後でこの所定の時刻に最も近い時刻に送信装置から送信されたパケットを蓄積するようにしてもよい。この場合、予め所定の時刻をポリシーサーバ１２を介してパケット蓄積制御部３２に設定しておき、送信装置から受信した受信パケットのうち、前述の所定の時刻を過ぎた後最も早く送信されたパケットを蓄積することとする。
【００５３】
また、ポリシーサーバ１２によってパケット蓄積制御部３２に帯域変更情報、変更時刻情報を設定しておき、帯域変更情報、変更時刻情報、送信時刻情報に基づいて帯域値を制御するようにしてもよい。さらに、パケット蓄積制御部３２とパケット転送処理部５２を電気的に接続させておき、パケット蓄積制御部３２で変更した帯域値に基づいてパケット転送処理部５２において受信パケットを転送、廃棄する容量を設定するよう制御信号を送信してもよい。
【００５４】
このように実施の形態３によれば、パケット伝送装置３の管理者が予め蓄積開始時刻情報と蓄積終了時刻情報を設定しているので、時刻情報生成部４０によって抽出された送信時刻情報に基づいて所望の時刻における受信パケットを蓄積することが可能となる。また、パケット蓄積制御部３２で蓄積した受信パケットをポリシーサーバ１２に送信しているので、パケット伝送装置３の管理者は蓄積された受信パケットに基づいてパケット伝送装置３の管理、制御が可能となる。さらに、所定の時刻を過ぎた後最も早く送信されたパケットを蓄積するようにすれば、オークションや株の売買等、時刻情報に厳しいパケット通信にも対応可能となる。
【００５５】
【発明の効果】
以上説明したとおり、この発明によれば、送信装置からパケット送信された時刻に応じてパケット送信に使用する帯域を動的に変更することができ、効率の良いパケット通信を少ない労力で実現可能になるという効果を奏する。
【図面の簡単な説明】
【図１】実施の形態１にかかるパケット伝送装置の概略を示すブロック図である。
【図２】実施の形態１にかかるパケット伝送装置によるパケット伝送条件の設定手順を示すフローチャートである。
【図３】実施の形態２にかかるパケット伝送装置の概略を示すブロック図である。
【図４】実施の形態２にかかるパケット伝送装置によるパケット伝送条件の設定手順を示すフローチャートである。
【図５】実施の形態３にかかるパケット伝送装置の概略を示すブロック図である。
【図６】実施の形態３にかかるパケット伝送装置によるパケット伝送条件の設定手順を示すフローチャートである。
【図７】送信装置からのパケットを受信した時刻をパケットに付加する場合のネットワークの構成を説明するための図である。
【符号の説明】
１〜３  パケット伝送装置、４  ネットワーク、１０〜１２  ポリシーサーバ、２０  シグナルプロトコル処理部、３０  帯域制御部、３１  廃棄制御部、３２  パケット蓄積制御部、４０  時刻情報生成部、５０，５２パケット転送処理部。
【図１】
2004364156.tif 000003
【図２】
2004364156.tif 000004
【図３】
2004364156.tif 000005
【図４】
2004364156.tif 000006
【図５】
2004364156.tif 000007
【図６】
2004364156.tif 000008
【図７】
2004364156.tif 000009